(57)【要約】【課題】監視対象の画像および状態表示灯の点灯情報を表示すると共に、表示画面に表示されている画像を画像データとしてハードコピーして保存できるハードコピー機能付き液晶画像表示システムを提供する。【解決手段】監視対象の画像を表示する液晶画像表示装置１００と、該液晶画像表示装置とは別に配置されて監視対象の状態を表示する状態表示灯２００とで構成されており、液晶画像表示装置は、監視対象の画像および状態表示灯が表示する状態情報を表示する液晶表示画面１０１と、監視対象の画像を液晶表示画面に表示させると共に、状態表示灯が表示する状態情報を取り込み、状態表示部１０３として液晶表示画面に表示させる制御部１０２と、液晶表示画面に表示された画像をハードコピーするハードコピー手段とを備える。【選択図】図１
2011227373.tif 000002
【特許請求の範囲】
【請求項１】
撮像した監視対象物の画像を表示する液晶画像表示装置と、該液晶画像表示装置とは別に配置されて上記監視対象物の状態を表示する状態表示灯とで構成されたハードコピー機能付き液晶画像表示システムであって、上記液晶画像表示装置は、
上記監視対象物の画像および上記状態表示灯が表示する状態情報を表示する液晶表示画面と、上記監視対象物の画像を上記液晶表示画面に表示させると共に、上記状態表示灯が表示する状態情報を取り込み、状態表示部として上記液晶表示画面に表示させる制御部と、上記液晶表示画面に表示された画像をハードコピーするハードコピー手段とを備えたことを特徴とするハードコピー機能付き液晶画像表示システム。
【請求項２】
監視対象情報の画像を表示する液晶画像表示装置と、該液晶画像表示装置とは別に配置されて上記監視対象情報の状態を表示する状態表示灯とで構成されたハードコピー機能付き液晶画像表示システムであって、上記液晶画像表示装置は、
上記監視対象情報の画像および上記状態表示灯が表示する状態情報を表示する液晶表示画面と、上記監視対象情報の画像を上記液晶表示画面に表示させると共に、上記状態表示灯が表示する状態情報を取り込み、状態表示部として上記液晶表示画面に表示させる制御部と、上記液晶表示画面に表示された画像をハードコピーするハードコピー手段とを備えたことを特徴とするハードコピー機能付き液晶画像表示システム。
【請求項３】
上記液晶画像表示装置の制御部は、上記ハードコピー手段を有していることを特徴とする請求項１または２に記載のハードコピー機能付き液晶画像表示システム。
【請求項４】
上記液晶画像表示装置がスリープ状態のとき、上記状態表示灯は常時表示状態であることを特徴とする請求項１または２に記載のハードコピー機能付き液晶画像表示システム。
【発明の詳細な説明】
【技術分野】
【０００１】
本発明は、ハードコピー機能付き液晶画像表示システムに係わり、更に詳しくは、「監視対象（表、グラフ、文字情報なども含む）の画像」および「別置きされている監視対象の状態を表示する状態表示灯の点灯情報」を一つの液晶表示画面に同時表示すると共に、液晶表示画面に表示されている監視対象の画像情報および状態表示灯の点灯情報を画像データとして保存するハードコピー機能付き液晶画像表示システムに関する。
【背景技術】
【０００２】
図４は、例えば、監視対象物（監視対象の設備、装置あるいは機器など）が表示される液晶画像表示装置の近傍に、監視物の状態を表示する「状態表示灯」が別置きされている従来の液晶画像表示システムの構成を示す図である。
図４において、１０００は液晶画像表示装置、１００１は液晶画像表示装置１０００の液晶表示画面、１００２は液晶画像表示装置１０００に配置され、図示しない撮像装置（カメラ）で撮像した監視対象物の撮像画像を選択し、液晶表示画面１００１の所定の位置に表示させる機能などを有した制御部、２０００は液晶画像表示装置１０００とは別置きされた状態表示灯である。
液晶画像表示装置１０００および状態表示灯２０００によって複数の監視対象物を表示する監視対象画像表示システムが構成されている。
【０００３】
液晶画像表示装置１０００の液晶表示画面１００１には、○、□、△などで表された複数の監視対象の設備、装置、機器などの像が表示されており、液晶画像表示装置１０００の近傍には、監視対象物の設備、装置、機器などの状態を表示する状態表示灯２０００が別置きして配置されている。
状態表示灯２００００は、液晶表示画面１００１に表示される複数の監視対象物（監視対象の設備、装置、機器など）の状態（状態１、状態２、・・・）がＬＥＤ表示される。
例えば、「状態１」は電源設備の状態表示であり、商用電源が正常な時は「商用電源正常」と表示され、「状態２」はコントローラ（制御部）のＣＰＵの状態表示であり、ＣＰＵが正常なときは「ＣＰＵ正常」と表示される。
【０００４】
従来の液晶画像表示システムは、複数の監視対象物を液晶表示画面１００１に表示する液晶画像表示装置１０００の近傍（例えば、液晶表示画面１０１の横）に複数の監視対象物の状態を表示する状態表示灯２００を独立して配置したものである。
従って、状態表示灯２０００によって、液晶表示画面１００１に表示されている監視対象物（設備、装置あるいは機器など）の状態を確認することができる。
しかし、液晶表示画面１００１には監視対象物の状態は表示されていないので、監視者は別置きされている状態表示灯２０００の点灯情報を確認しないと、監視対象物の状態を確認できず、不便であった。また、状態表示灯２０００で表示される各状態（状態１、状態２、・・・）はＬＥＤなどで表示されるので、表示情報量に限界があり、多く態各状態で多くの情報を表示するのは困難であった。
【０００５】
また、従来の液晶画像表示システムはハードコピー機能を有していないので、液晶表示画面１００１に表示されている監視対象物の画像情報や状態表示灯２０００で表示される各状態の情報をデータとして保存し、有効に活用することはできなかた。
なお、例えば、特許文献１（特開平８−５４８６７号公報）には、ハードコピー機能付き画像表示装置が記載されているが、これはハードコピーの際の描画処理に関するものであり、後述する「監視対象物の画像を表示する本願発明」に対しては単なる参考例に過ぎない。
【先行技術文献】
【特許文献】
【０００６】
【特許文献１】特開平８−５４８６７号公報
【発明の概要】
【発明が解決しようとする課題】
【０００７】
前述したように、従来の液晶画像表示システムでは、液晶表示画面に監視対物象の状態が表示されていないので、別置きの状態表示灯の点灯情報を確認しないと監視対象の状態を確認できない。
また、従来の液晶画像表示システムはハードコピー機能を有していないので、液晶表示画面に表示されている監視対象物の画像情報や状態表示灯で表示される各状態の情報をデータとして保存し、ハードコピーして有効活用することはできなかった。
【０００８】
この発明は、上記のような問題点を解決するためになされたものであり、監視対象物（表、グラフ、文字情報なども含む）の画像と状態表示灯の点灯情報を同時に液晶表示画面に表示すると共、ハードコピー機能によって、液晶表示画面に表示されている「監視対象物の画像情報」および「状態表示灯の点灯情報」を画像データとして保存できる「ハードコピー機能付き液晶画像表示システム」を提供することを目的とする。
【課題を解決するための手段】
【０００９】
この発明に係わるハードコピー機能付き液晶画像表示システムは、撮像した監視対象物の画像を表示する液晶画像表示装置と、該液晶画像表示装置とは別に配置されて上記監視対象物の状態を表示する状態表示灯とで構成されたハードコピー機能付き液晶画像表示システムであって、上記液晶画像表示装置は、上記監視対象物の画像および上記状態表示灯が表示する状態情報を表示する液晶表示画面と、上記監視対象物の画像を上記液晶表示画面に表示させると共に、上記状態表示灯が表示する状態情報を取り込み、状態表示部として上記液晶表示画面に表示させる制御部と、上記液晶表示画面に表示された画像をハードコピーするハードコピー手段とを備えたものである。
また、この発明に係わるハードコピー機能付き液晶画像表示システムは、監視対象情報の画像を表示する液晶画像表示装置と、該液晶画像表示装置とは別に配置されて上記監視対象情報の状態を表示する状態表示灯とで構成されたハードコピー機能付き液晶画像表示システムであって、上記液晶画像表示装置は、上記監視対象情報の画像および上記状態表示灯が表示する状態情報を表示する液晶表示画面と、上記監視対象情報の画像を上記液晶表示画面に表示させると共に、上記状態表示灯が表示する状態情報を取り込み、状態表示部として上記液晶表示画面に表示させる制御部と、上記液晶表示画面に表示された画像をハードコピーするハードコピー手段とを備えたものである。
【発明の効果】
【００１０】
この発明によれば、監視対象物（表、グラフ、文字情報なども含む）の画像と状態表示灯の点灯情報を１つの液晶表示画面に同時に表示すると共、ハードコピー機能によって液晶表示画面に表示されている監視対象物の画像および状態表示灯の点灯状態を画像データとして保存できるので、ハードコピー画像の有効活用が図れる。
また、状態表示部は、制御部によって液晶表示画面の任意の位置に所望の大きさで表示可能であり、液晶表示画面における状態表示部の占める面積を小さくし、液晶表示画面のデッドスペースの有効活用も図れる。従って、液晶表示画面の小型化も図れる。
【図面の簡単な説明】
【００１１】
【図１】本発明によるハードコピー機能付き液晶画像表示システムの構成を概念的に示す図である。
【図２】液晶画像表示装置がスリープ状態の時の液晶表示画面を表す図である。
【図３】本発明による液晶画像表示システムによって取得したハードコピー画像を示す図である。
【図４】従来の液晶画像表示システムの構成を示す図である。
【発明を実施するための形態】
【００１２】
以下、図面に基づいて、本発明の実施の形態例について説明する。
なお、各図間において、同一符号は、同一あるいは相当のものであることを表す。
実施の形態１．
図１は、実施の形態１によるハードコピー機能付き液晶画像表示システムの構成を概念的に示す図である。
なお、ハードコピーとは、画像表示画面で表示された画像を画像データとして画像表示装置本体やＰＣ（パソコン）などに保存することを言う。
図１において、１００は液晶画像表示装置、１０１は液晶画像表示装置１００の液晶表示画面、１０２は液晶画像表示装置１００に配置され、図示しない撮像装置（カメラ）で撮像した監視対象物（例えば、設備、装置、機器など）の撮像画像を選択して液晶表示画面１０１の所定の位置に表示させる機能などを有した制御部（コントローラ）、１０３は液晶表示画面１０１上の状態表示部、２００は液晶画像表示装置１００とは別置きされて各監視対象物の個々の状態を表示する状態表示灯２００である。
液晶画像表示装置１００および状態表示灯２００によって複数の監視対象物を表示する液晶画像表示システムが構成されている。
【００１３】
状態表示灯２００は、従来技術の場合と同様に、液晶表示画面１０１に表示される複数の監視対象物の個々の状態（状態１、状態２、・・・）がＬＥＤ表示される。
状態表示灯で表示する各状態は、常時監視が必要な監視対象物の状態であり、特に重要な監視対象物（例えば、電源設備、コントローラのＣＰＵなど）の状態が選定される。
状態表示灯２００は、遠目でも良く見えるよう視認性のよいサイズが選定され、その点灯条件（例えば、「商用電源正常」、「ＣＰＵ正常」など）を状態表示灯２００内部に取付の文字板等に記載する。
【００１４】
なお、液晶表示画面１０１上の状態表示部１０３は、制御部１０２によって「状態表示灯で表示される各状態（状態１、状態２、・・・）の情報あるいはその付加情報」をデータ化し、液晶表示画面の所定の位置（例えば表示画面の右上端部）に状態表示灯２００よりもサイズを小さくして表示したものであり、各状態（状態１、状態２、・・・）の表示は、状態表示灯２００での表示と同じ配列で表示される。
また、状態表示部１０３は、制御部１０２によってデータ化されて液晶表示画面１０１に表示されるので、液晶表示画面１０１に表示される各状態の表示情報（即ち、状態表示部１０３が表示する泌尿時情報）は状態表示灯２００で表示する情報量よりも多くの情報を付加して表示することも可能である。
【００１５】
液晶画像表示装置１００は、液晶表示画面１０１のバックライト寿命や液晶焼けを懸念し、スリープ機能(一定時間の間表示に変化が無い場合、表示を消す機能)を有する。
一方、常時監視が必要なシステムの場合、液晶画像表示装置１００がスリープ状態となっても監視が継続できるよう、別置きの状態表示灯（ＬＥＤ）を設けている。
図２は、液晶画像表示装置１００がスリープ（sleep）状態の時の液晶表示画面１０１を表している。
液晶画像表示装置１００がスリープ状態であるので、液晶表示画面１０１には何も表示されていない。従って、液晶表示画面１０１には、監視対象物の画像や状態表示部１０３は表示されていない。
しかし、別置きしている状態表示灯２００は、液晶画像表示装置１００がスリープ状態であっても各監視対象物の状態を表示しているので、液晶画像表示装置１００がスリープ状態であっても、監視者は、各監視対象物の状態（状態１、状態２、・・・）を状態表示灯２００によって監視・確認することできる。
【００１６】
図３は、本発明による液晶画像表示システムによって取得したハードコピー画像３００を示す。
図に示すように、ハードコピー画像３００は、図１に示した液晶表示画面１０１の画像情報がそのままコピーされたものであり、ハードコピー画像３００によって液晶表示画面１０１に表示されていた監視対象物の画像や状態表示部１０３の画像情報をＰＣ（パソコン）の画面で閲覧することが可能である。
また、ハードコピー画像は、紙に印刷したり、液晶画像表示装置１００の液晶表示画面１０１や他の画像表示装置で表示することも可能である。
【００１７】
なお、制御部１０２のハードコピー手段は、液晶表示画面１０１に表示されている画像をＰＣ（パソコン）の画面で閲覧可能なように、画像のサイズ変更を行い、ハードコピーする。
ハードコピーで取得した画像データは、例えば、ＢＭＰやＪＰＥＧであり、ＰＣ上で任意に縮小、拡大表示ができる。
液晶表示画面１０１に表示されている画像をハードコピーする機能は、液晶画像表示装置１００内の制御部１０２が有してもよいし、液晶画像表示装置１００外に設けたハードコピー装置（図示なし）が有していてもよい。
【００１８】
以上説明したように、本実施の形態によるハードコピー機能付き液晶画像表示システムは、撮像した監視対象物の画像を表示する液晶画像表示装置１００と、液晶画像表示装置１００とは別に配置されて監視対象物の状態を表示する状態表示灯２００とで構成されたハードコピー機能付き液晶画像表示システムであって、液晶画像表示装置１００は、監視対象物の画像および状態表示灯２００が表示する状態情報を表示する液晶表示画面１０１と、監視対象物の画像を液晶表示画面１０１に表示させると共に、状態表示灯２００が表示する状態情報を取り込み状態表示部として液晶表示画面１０１に表示させる制御部１０２と、液晶表示画面１０１に表示された画像をハードコピーするハードコピー手段とを備えている。
また、本実施の形態によるハードコピー機能付き液晶画像表示システムの液晶画像表示装置１００の制御部１０２は、ハードコピー手段を有している。
【００１９】
本実施の形態によれば、監視対象物の画像と状態表示灯２００の点灯情報を１つの液晶表示画面１０１に同時に表示すると共、ハードコピー機能によって液晶表示画面１０１に表示されている監視対象物の画像および状態表示灯２００の点灯情報を画像データとして保存できるので、ハードコピー画像の有効活用が図れる。
また、状態表示部１０３は、制御部１０２によって液晶表示画面１０１の任意の位置に所望の大きさで表示可能であり、液晶表示画面１０１における状態表示部１０３の占める面積を小さくし、液晶表示画面１０１のデッドスペースの有効活用も図れる。従って、液晶表示画面の小型化も図れる。
また、本実施の形態によるハードコピー機能付き液晶画像表示システムは、液晶画像表示装置１００がスリープ状態のとき、状態表示灯２００は常時表示状態とする。
従って、本実施の形態によれば、液晶画像表示装置１００がスリープ状態となっても、別置きしている状態表示灯２００の表示によって監視対象物の状態を確認できる。
【００２０】
実施の形態２．
上述した実施の形態１では、監視対象が撮像した監視対象物（監視対象の設備、装置、機器など）である場合について説明したが、監視対象は撮像した監視対象物に限られるものではなく、表、グラフあるいは文字情報などであってもよい。
この場合、実施の形態２によるハードコピー機能付き液晶画像表示システムは、監視対象（表、グラフ、文字情報など）の画像を表示する液晶画像表示装置１００と、液晶画像表示装置１００とは別に配置されて監視対象の状態を表示する状態表示灯２００とで構成されたハードコピー機能付き液晶画像表示システムであって、液晶画像表示装置１００は、監視対象の画像および状態表示灯２００が表示する状態情報を表示する液晶表示画面１０１と、監視対象の画像を液晶表示画面１０１に表示させると共に、状態表示灯２００が表示する状態情報を取り込み状態表示部として液晶表示画面１０１に表示させる制御部１０２と、液晶表示画面１０１に表示された画像をハードコピーするハードコピー手段とを備えていることになる。
【産業上の利用可能性】
【００２１】
この発明は、液晶表示画面に表示されている「監視対象の画像情報」および「別置きの状態表示灯の点灯情報」を画像データとして保存できる「ハードコピー機能付き液晶画像表示システム」の実現に有用である。
【符号の説明】
【００２２】
１００  監視対象画像表示装置            １０１  液晶表示画面
１０２  制御部                          １０３  状態表示部
２００  状態表示灯                      ３００  ハードコピー画像
【図１】
2011227373.tif 000003
【図２】
2011227373.tif 000004
【図３】
2011227373.tif 000005
【図４】
2011227373.tif 000006